(57)【特許請求の範囲】
【請求項１】
空調された空気をモータにより駆動する首振り機構を設けたノズル状吹出口より空調空気を吹出す空調用吹出装置において、
前記空調用吹出装置を空気流路に連通するように取り付ける取付台と、
この取付台に固定して人の存在を検知する人体検知センサと、
前記人体検知センサからの人体検知信号に基づいて前記モータを駆動し、前記ノズル状吹出口を人の存在する方向に向ける運転制御装置を備え、
前記人体検知センサは、前記ノズル状吹出口の可動領域より外側に配設することを特徴とする空調用吹出装置。
【請求項２】
前記人体検知センサを前記ノズル状吹出口の駆動軌跡の外縁変化に対応可能とする伸縮自在な固定部材に設けることを特徴とする請求項１記載の空調用吹出装置。
【請求項３】
前記人体検知センサの取り付け角度を可変する支軸を設け、その支軸を中心として前記人体検知センサの取り付け角度を変えて検知領域を変えることを特徴とする請求項１または２記載の空調用吹出装置。
【請求項４】
前記ノズル状吹出口の首振り回転軸を中心として２個以上の人体検出センサを配設したことを特徴とする請求項１〜３いずれか一つに記載の空調用吹出装置。
【発明の詳細な説明】
【０００１】
【発明の属する技術分野】
本発明は、人体の存在を検知し空調空気を人体側に送風するノズル状吹出口を設けた空調用吹出装置に関する。
【０００２】
【従来の技術】
近年、人体の存在を検知して空調機からの空調空気を人体に向けて送風するため空調用吹出装置について人体の存在を広範囲において正確に検知することについての要求が高まっている。
【０００３】
従来、この種の空調空気吹出装置の一例として図７に示されるものが知られている。以下、その構成について図７を参照しながら説明する。
【０００４】
図７に示すように、モータ１０１により可動されて方向を可変できるように設けたノズル状吹出口１０２を空調機からの空調空気を送り出す空気流路１０３に連通して設け、検知エリア（Ａ）内での人の存在を検知する人体検知センサ１０４を設け、人体検知センサ１０４からの検知信号によりモータ１０１を駆動し、ノズル状吹出口１０２の方向を人の存在する方向に向ける運転制御装置１０５を設け、人体検知センサ１０４が人の存在を検知することによりノズル状吹出口１０２が人の存在する方向に向けられ空調機から送られた空調空気を人に接触させて快感を得るようにしていた。
【０００５】
【発明が解決しようとする課題】
このような従来の空調用吹出装置では、人体検知センサ１０４をノズル状吹出口１０２の近傍に設けた場合には、ノズル状吹出口１０２が人体検知センサ１０４の検知エリア（Ａ）内に可動されることがあり、人体検知センサ１０４が誤検知することが生じるため、ノズル状吹出口１０２の長さを短くする必要がありノズル状吹出口１０２の長さを短くすると、空調空気が十分に到達しないという課題があり空調空気を十分に到達させることが要求されている。
【０００６】
また、ノズル状吹出口１０２が人体検知センサ１０４の検知エリア（Ａ）内で可動すると人体検知センサ１０４がノズル状吹出口１０２を人として検出するため、検知エリア（Ａ）の範囲を縮小する必要があり、人を検知する範囲が狭くなるという課題があり、人体検知センサ１０４の検知エリア（Ａ）の範囲を広くすることが要求されている。
【０００７】
本発明は、このような従来の課題を解決するものであり、空調空気を十分に人体に到達させることができ、また、人体検知センサの検知エリアの範囲を広くすることができる空調用吹出装置を提供することを目的とする。
【０００８】
【課題を解決するための手段】
請求項１記載の本発明の空調用吹出装置は、空調された空気をモータにより駆動する首振り機構を設けたノズル状吹出口より空調空気を吹出す空調用吹出装置において、前記空調用吹出装置を空気流路に連通するように取り付ける取付台と、この取付台に固定して人の存在を検知する人体検知センサと、前記人体検知センサからの人体検知信号に基づいて前記モータを駆動し、前記ノズル状吹出口を人の存在する方向に向ける運転制御装置を備え、前記人体検知センサは、前記ノズル状吹出口の可動領域より外側に配設することを特徴とする。
【０００９】
請求項２記載の本発明の空調用吹出装置は、前記人体検知センサを前記ノズル状吹出口の駆動軌跡の外縁変化に対応可能とする伸縮自在な固定部材に設けることを特徴とする。
【００１０】
請求項３記載の本発明は、前記人体検知センサの取り付け角度を可変する支軸を設け、その支軸を中心として前記人体検知センサの取り付け角度を変えて検知領域を変えることを特徴とする。
【００１２】
また、前記ノズル状吹出口の首振り回転軸を中心として２個以上の人体検出センサを配設したことを特徴とする。
【００１４】
【発明の実施の形態】
本発明の第１の実施の形態による空調用吹出装置は、前記空調用吹出装置を空気流路に連通するように取り付ける取付台と、この取付台に固定して人の存在を検知する人体検知センサと、前記人体検知センサからの人体検知信号に基づいて前記モータを駆動し、前記ノズル状吹出口を人の存在する方向に向ける運転制御装置を備え、前記人体検知センサは、前記ノズル状吹出口の可動領域より外側に配設しているため、人体がノズル状吹出口の陰になり検知不可能となることがなくなる。
【００１５】
本発明の第２の実施の形態による空調用吹出装置は、前記人体検知センサを前記ノズル状吹出口の駆動軌跡の外縁変化に対応可能とする伸縮自在な固定部材に設けているため、ノズル状吹出口の吹角度変更やノズル形状の伸縮に対して、人体検知センサの検出位置も追随して変更でき、誤検出を防止できる。
【００１６】
本発明の第３の実施の形態は、前記人体検知センサの取り付け角度を可変する支軸を設け、その支軸を中心として前記人体検知センサの取り付け角度を変えて検知領域を変えるため、広範囲に人体の検出が可能となる。
【００１８】
また、ノズル状吹出口の首振り回転軸を中心として２個以上の人体検出センサを配設することにより、広範囲にわたり空調空気を送風することが出来る。
【００２０】
【実施例】
以下、本発明の実施例について図面を参照しながら説明する。
【００２１】
（実施例１）
図１に示すように、空調機（図示せず）により空調された空気を送る空気流路１に連通するように取付台２を介して筒状部３ａにノズル部３ｂが回動可能に接合されほぼＬ字状に形成されたノズル状吹出口３を設け、ノズル状吹出口３を取付台２に設けたモータ４により首振機構（図示せず）を介し吹き出し方向を可動領域５内において可動変換できるように設け、検知エリア６内で人の存在を検知する人体検知センサ７と、この人体検知センサ７の検知信号によりモータ４の運転を制御する運転制御装置８とを取付台２に設け、人体検知センサ７の検知エリア６がノズル状吹出口３の可動領域５外になるように配設した構成とする。
【００２２】
上記構成において、人体検知センサ７の検知エリア６内で人の存在を検知すると、検知信号が運転制御装置８に送られ、運転制御装置８によりモータ４が運転され、ノズル状吹出口３の吹出方向を人体検知センサ７の検知エリア６側に可動し、検知エリア６内に存在する人に空調機により空調された空気を送風することができることとなる。
【００２３】
このとき、人体検知センサ７の検知エリア６がノズル状吹出口３の可動領域５と重合することがないので、人体検知センサ７がノズル状吹出口３を人と間違えて検知する誤検知がなくなる状態となっている。
【００２４】
このように本発明の実施例１の空調用吹出装置によれば、人の存在を検知する人体検知センサ７の検知エリア６がノズル状吹出口３の可動領域５外となるように設けたので、ノズル状吹出口３の長さを短くしなくても人体検知センサ７が誤検知することがなくなるとともに、空調空気を十分に人体に到達することができ快感を与えることができる。
【００２５】
（実施例２）
図２に示すように、人体検知センサ７Ｂを支持する支持具９Ａを伸縮自在に設け、人体検知センサ７Ｂの検知エリア６がノズル状吹出口３の可動領域５Ａ外の検知エリア６Ｃに移動できるように、人体検知センサ７Ｂをノズル状吹出口３の可動中心１１に対し遠近自在に設けた構成とする。
【００２６】
上記構成において、人体の存在場所が少し遠く、遠い所に送風するためにノズル状吹出口３のノズル部３ｂを水平状となる上方に移動したとき、人体検知センサ７Ｂの検知エリア６内にノズル状吹出口３の広がった状態の可動領域５Ａが重合し、人体検知センサ７Ｂが誤検知する恐れのある場合には、人体検知センサ７Ｂを支持具９Ａを介してノズル状吹出口３の可動中心より遠ざける方向に移動し、人体検知センサ７Ｂの検知エリア６が移動し検知エリア６Ｃとなるようにしてノズル状吹出口３の可動領域５Ａ外に配設し、人体検知センサ７Ｂが誤検知しない状態にして、空調空気を人体に向け送風する。
【００２７】
このように本発明の実施例２の空調用吹出装置によれば、人体検知センサ７Ｂの検知エリア６がノズル状吹出口３の可動領域５Ａ外の検知エリア６Ｃとなるように、人体検知センサ７Ｂをノズル状吹出口３の可動中心１１に対し遠近自在に設けたので、ノズル状の吹出口３の吹き出し方向を変更し、ノズル状吹出口３の可動領域５が可動領域５Ａと広がった場合においても、人体検知センサ７Ｂの検知エリア６Ｃを可動領域５Ａ外に設けることができ、人体検知センサ７Ｂの誤検知が防止でき、的確に人体に空調空気を送風することができる。
【００２８】
（実施例３）
図３に示すように、人体検知センサ７Ａを、ノズル状吹出口３の可動領域５外において支持する支持具９に支軸１０を支点に可動自在に設け、検知エリア６を可変できる構成とする。
【００２９】
上記構成において、人体検知センサ７Ａの検知エリア６を、検知エリア６Ａ側に可変するときには、人体検知センサ７Ａを支軸１０を支点に可動することにより可変することができ、人体検知センサ７Ａを可動して可変できる全体の検知エリア範囲を検知エリア６Ｂとすることができ、人の存在する方向にノズル状吹出口３を可動して送風することができる。
【００３０】
このように本発明の実施例３の空調用吹出装置によれば、人体検知センサ７Ａをノズル状吹出口３の可動領域５外において、検知エリア６を可変できるように可動自在に設けたので、人体検知センサ７Ａの検知範囲が検知エリア６Ｂの広範囲内で可変でき、設置場所や人の存在場所に対応して人体の検知場所を可変することができ、的確に空調空気を人体に送風することができる。
【００３１】
（参考例１）
図４に示すように、人体検知センサ７Ｃの検知エリア６が検知エリア６Ｄとなるように反ノズル状吹出口側の人体検知センサ７Ｃ部分に、検知エリア６を縮小する遮へい板１２を設け、人体検知センサ７Ｃをノズル状吹出口３の可動領域５内に配設した構成とする。
【００３２】
上記構成において、人体検知センサ７Ｃは、検知エリア６が遮へい板１２により検知エリア６Ｄに縮小されることにより、人体検知センサ７Ｃをノズル状吹出口３の可動領域５内に配設しても、人体検知センサ７Ｃが誤検知することなく、人体を的確に検知して人体に空調空気を送風することができる。
【００３３】
このように参考例１の空調用吹出装置によれば、人体検知センサ７Ｃに検知エリア６が検知エリア６Ｄとなるように反ノズル状吹出口側に縮小する遮へい板１２を設け、人体検知センサ７Ｃをノズル状吹出口３の可動領域５内に配設したので、空調用吹出装置全体の形状を小形にすることができ、設置面積の小さい場所にも設置が可能となる。
【００３４】
（実施例４）
図５に示すように、ノズル状吹出口３Ａの可動領域５外において、ノズル状吹出口３Ａの可動中心１１を中心に複数の人体検知センサ７Ｄおよび７Ｅを配設した構成とする。
【００３５】
上記構成において、一方の人体検知センサ７Ｄの検知エリア６Ｅで人体の存在が検知されると、ノズル状吹出口３Ａの吹出方向が検知エリア６Ｅ内に存在する人体に向けて送風され、人が移動したり、一方の人体検知センサ７Ｄの検知エリア６Ｅとは反対側に人が存在するときには、他方の人体検知センサ７Ｅの検知エリア６Ｆ内で人の存在を検知してノズル状吹出口３Ａが可動し吹出方向が検知エリア６Ｆ内に存在する人に向けて変換されて人体に空調空気を送風することができる。
【００３６】
このように本発明の実施例５の空調用吹出装置によれば、ノズル状吹出口３Ａの可動領域５外において、ノズル状吹出口３Ａの可動中心１１を中心に複数の人体検知センサ７Ｄおよび７Ｅを配設したので、広範囲において人体の存在を検知することが可能となり、広範囲の方向に向け空調空気を送風することができる。
【００３７】
（実施例５）
図６に示すように、ノズル状吹出口３Ａの可動領域５内において、ノズル状吹出口３Ａの可動中心１１を中心に複数の人体検知センサ７Ｆおよび７Ｇを配設した構成とする。
【００３８】
上記構成において、一方の人体検知センサ７Ｆの検知エリア６Ｇで人体の存在が検知されると、ノズル状吹出口３Ａの吹出方向が検知エリア６Ｇ内に存在する人体に向けて送風され、人が移動したり、一方の人体検知センサ７Ｆの検知エリア６Ｇとは反対側に人が存在するときには、他方の人体検知センサ７Ｇの検知エリア６Ｈ内で人の存在を検知してノズル状吹出口３Ａが可動し吹出方向が検知エリア６Ｈ内に存在する人に向けて変換され人体に空調空気を送風することができる。
【００３９】
このように本発明の実施例６の空調用吹出装置によれば、ノズル状吹出口３Ａの可動領域５内において、ノズル状吹出口３Ａの可動中心１１を中心に複数の人体検知センサ７Ｆおよび７Ｇを配設したので、小形に形成した空調用吹出装置により、広範囲において人体の存在を検知することが可能となり、広範囲の方向に向け空調空気を送風することができる。
【００４０】
【発明の効果】
以上の実施例から明らかなように、本発明によればモータにより吹き出す方向を可動領域内において可動変換できるように設けたノズル状吹出口と、このノズル状吹出口に空調機により空調された空気を送り込む空気流路と、検知エリア内での人の存在を検知する人体検知センサと、この人体検知センサからの検知信号により前記モータを駆動する運転制御装置とを備え、前記人体検知センサの検知エリアが前記ノズル状吹出口の可動領域外となるように設けたので、人体検知センサの誤検知を防止することができ、空調空気を十分に到達させることができる空調用吹出装置を提供できる。
【００４１】
また、人体検知センサをノズル状吹出口の可動領域外において、検知エリアを可変できるように可動自在に設けたので、広範囲内で人体検知センサによる検知ができ、的確に空調空気を人体に向け送風することができる。
【００４２】
また、人体検知センサの検知エリアがノズル状吹出口の可動領域外となるように、前記人体検知センサを前記ノズル状吹出口の可動中心に対し遠近自在に設けたので、人体検知センサの誤検知が防止できる。
【００４３】
また、人体検知センサに検知エリアを反ノズル状吹出口側に縮小する遮へい板を設け、前記人体検知センサをノズル状吹出口の可動領域内に配設したので空調用吹出装置を小形にすることができる。
【００４４】
また、ノズル状吹出口の可動領域外において、前記ノズル状吹出口の可動中心を中心に複数の人体検知センサを配設したので、広範囲に向け空調空気を送風することができる。
【００４５】
また、ノズル状吹出口の可動領域内において、前記ノズル状吹出口の可動中心を中心に複数の人体検知センサを配設したので、広範囲の方向に空調空気を送風できる小形の空調用吹出装置が得られる。
【図面の簡単な説明】
【図１】  本発明の実施例１の空調用吹出装置の設置状態の概略構成を示す側面図
【図２】  本発明の実施例２の空調用吹出装置の設置状態の概略構成を示す側面図
【図３】  本発明の実施例３の空調用吹出装置の設置状態の概略構成を示す側面図
【図４】  本発明の参考例１の空調用吹出装置の設置状態の概略構成を示す側面図
【図５】  本発明の実施例４の空調用吹出装置の設置状態の概略構成を示す側面図
【図６】  本発明の実施例５の空調用吹出装置の設置状態の概略構成を示す側面図
【図７】  従来の空調用吹出装置の設置状態の概略構成を示す側面図
【符号の説明】
１    空気流路
３    ノズル状吹出口
３Ａ  ノズル状吹出口
４    モータ
５    可動領域
５Ａ  可動領域
６    検知エリア
６Ａ  検知エリア
６Ｂ  検知エリア
６Ｃ  検知エリア
６Ｄ  検知エリア
７    人体検知センサ
７Ａ  人体検知センサ
７Ｂ  人体検知センサ
７Ｃ  人体検知センサ
７Ｄ  人体検知センサ
７Ｅ  人体検知センサ
７Ｆ  人体検知センサ
７Ｇ  人体検知センサ
９    支持具
９Ａ  支持具
１０  支軸
１１  可動中心
１２  遮へい板
【図１】
0004439677.tif 000002
【図２】
0004439677.tif 000003
【図３】
0004439677.tif 000004
【図４】
0004439677.tif 000005
【図５】
0004439677.tif 000006
【図６】
0004439677.tif 000007
【図７】
0004439677.tif 000008